(57)【特許請求の範囲】
【請求項１】
歯科用工具を装着するヘッド及び前記ヘッドから略筒状に延びるネック部と、前記ネック部の基端部に各種の連結手段を介して着脱可能に連結される略筒状のグリップと、前記ネック部を前記グリップに対して回り止めするための回り止め手段とを備え、前記グリップの後端部に駆動ユニットを着脱可能に接続される歯科用ハンドピースにおいて、
前記連結手段は、
前記ネック部の前記グリップとの連結端に略円筒状の開口が形成されるとともに、前記グリップの前記ネック部連結側の端部に前記ネック部の開口に嵌合可能な略円筒状の突状部が形成されて、
前記グリップの突状部の外周面に対称的に形成され、外周方向に突出する一対の係止突起と、
前記ネック部の開口内周面に対称的に形成され、前記ネック部と前記グリップとの正規の連結状態で前記グリップの前記各係止突起が係合可能な一対の位置決め係合溝、及び前記ネック部の開口縁部で前記各位置決め係合溝に対応する各位置から同一の周方向に所定角度だけ離れた位置にそれぞれ前記各係止突起を導入案内するための一対の導入ガイド溝が形成されて、これら導入ガイド溝から前記各位置決め係合溝に向けて形成され、前記グリップの各係止突起を前記各位置決め係合溝に案内するための一対の位置決めガイド溝と、
を備え、
前記ネック部の開口に前記グリップの突状部を相互の前記各導入ガイド溝と前記各係止突起とを合わせて挿入し、前記ネック部又は前記グリップの一方に対して他方を前記各係止突起と前記各位置決めガイド溝との係合案内に従って相対回動し、前記各係止突起と前記各位置決め係合溝とを係合させて、前記ネック部と前記グリップとを連結し、
前記回り止め手段は、
前記グリップの内部に当該グリップの軸方向に向けてスライド可能に挿通され、少なくとも一方の端部が前記グリップの両端部のいずれか一方から突出可能な長さを有する回り止めピンと、
前記回り止めピンの一方の端部を常態において前記グリップの前記駆動ユニット接続側の端部から外側に突出するように前記回り止めピンを前記グリップの前記駆動ユニット接続側の端部に向けて付勢するばね手段と、
を備え、
前記ネック部の前記グリップとの連結端に前記回り止めピンの他端に対向して前記回り止めピンの他端が挿入し係合可能な溝又は穴が形成されて、
前記グリップの後端部に前記駆動ユニットを接続することにより、前記駆動ユニット側の連結面で前記回り止めピンの一方の端部を押圧して他方の端部を前記グリップの前記ネック部連結側の端部から突出し前記ネック部の溝又は穴に挿入して、前記ネック部を前記グリップに対して回り止めする、
ことを特徴とする歯科用ハンドピース。
【請求項２】
ネック部の開口縁部に形成される一対の導入ガイド溝の少なくとも一方をグリップの回り止めピンを挿入する溝とし、前記ネック部と前記グリップが各係止突起と各位置決め係合溝との係合により連結された状態で、前記回り止めピンが前記導入ガイド溝に対向可能に構成される請求項１に記載の歯科用ハンドピース。
【請求項３】
歯科用工具を装着するヘッド及び前記ヘッドから略筒状に延びるネック部と、前記ネック部の基端部に各種の連結手段を介して着脱可能に連結される略筒状のグリップと、前記ネック部を前記グリップに対して回り止めするための回り止め手段とを備え、前記グリップの後端部に駆動ユニットを着脱可能に接続される歯科用ハンドピースにおいて、
前記連結手段は、
前記ネック部の前記グリップとの連結端に略円筒状の開口が形成されるとともに、前記グリップの前記ネック部連結側の端部に前記ネック部の開口に嵌合可能な略円筒状の突状部が形成されて、
前記グリップの突状部の外周面に対称的に形成され、外周方向に突出する一対の係止突起と、
前記ネック部の開口内周面に対称的に形成され、前記ネック部と前記グリップとの正規の連結状態で前記グリップの前記各係止突起が係合可能な一対の位置決め係合溝、及び前記ネック部の開口縁部で前記各位置決め係合溝に対応する各位置から同一の周方向に所定角度だけ離れた位置にそれぞれ前記各係止突起を導入案内するための一対の導入ガイド溝が形成されて、これら導入ガイド溝から前記各位置決め係合溝に向けて形成され、前記グリップの各係止突起を前記各位置決め係合溝に案内するための一対の位置決めガイド溝と、
を備え、
前記ネック部の開口に前記グリップの突状部を相互の前記各導入ガイド溝と前記各係止突起とを合わせて挿入し、前記ネック部又は前記グリップの一方に対して他方を前記各係止突起と前記各位置決めガイド溝との係合案内に従って相対回動し、前記各係止突起と前記各位置決め係合溝とを係合させて、前記ネック部と前記グリップとを連結し、
前記回り止め手段は、
前記グリップの内部に当該グリップの軸方向に向けてスライド可能にかつ少なくとも前記ネック部側の端部が前記グリップの前記ネック部連結側の端部から突出可能に挿通される回り止めピンと、
前記回り止めピンの前記ネック部側の端部を常態において前記グリップの前記ネック部連結側の端部から内部に没入するように前記回り止めピンを前記グリップの前記駆動ユニット接続側の端部に向けて付勢するばね手段と、
を備え、
前記ネック部の前記グリップとの連結端に前記回り止めピンの他端に対向して前記回り止めピンの他端が挿入し係合可能な溝又は穴が形成され、
前記駆動ユニットの前記グリップに対する接続端に前記グリップの内部に挿入され前記回り止めピンを押圧可能な押圧部を形成されて、
前記グリップの後端部に前記駆動ユニットを接続することにより、前記駆動ユニットの押圧部で前記回り止めピンの前記駆動ユニット側の端部を押圧して前記ネック部側の端部を前記グリップの前記ネック部連結側の端部から突出し前記ネック部の溝又は穴に挿入して、前記ネック部を前記グリップに対して回り止めする、
ことを特徴とする歯科用ハンドピース。
【請求項４】
ネック部の開口縁部に形成される一対の導入ガイド溝の少なくとも一方をグリップの回り止めピンを挿入する溝とし、前記ネック部と前記グリップが各係止突起と各位置決め係合溝との係合により連結された状態で、前記回り止めピンが前記導入ガイド溝に対向可能に構成される請求項３に記載の歯科用ハンドピース。
【請求項５】
歯科用工具を装着するヘッド及び前記ヘッドから略筒状に延びるネック部と、前記ネック部の基端部に各種の連結手段を介して着脱可能に連結される略筒状のグリップとを備え、前記グリップの後端部に駆動ユニットを着脱可能に接続される歯科用ハンドピースにおいて、
前記連結手段は、
前記ネック部の前記グリップとの連結端に略円筒状の開口が形成されるとともに、前記グリップの前記ネック部連結側の端部に前記ネック部の開口に嵌合可能な略円筒状の突状部が形成されて、
前記グリップの突状部の外周面に対称的に形成され、外周方向に突出する一対の係止突起と、
前記ネック部の開口内周面に対称的に形成され、前記ネック部と前記グリップとの正規の連結状態で前記グリップの前記各係止突起が係合可能な一対の位置決め係合溝、及び前記ネック部の開口縁部で前記各位置決め係合溝に対応する各位置から同一の周方向に所定角度だけ離れた位置にそれぞれ前記各係止突起を導入案内するための一対の導入ガイド溝が形成されて、これら導入ガイド溝から前記各位置決め係合溝に向けて形成され、前記グリップの各係止突起を前記各位置決め係合溝に案内するための一対の位置決めガイド溝と、
を備え、
前記ネック部の開口に前記グリップの突状部を相互の前記各導入ガイド溝と前記各係止突起とを合わせて挿入し、前記ネック部又は前記グリップの一方に対して他方を前記各係止突起と前記各位置決めガイド溝との係合案内に従って相対回動し、前記各係止突起と前記各位置決め係合溝とを係合させて、前記ネック部と前記グリップとを連結する、
ことを特徴とする歯科用ハンドピース。
【発明の詳細な説明】
【技術分野】
【０００１】
本発明は、歯科用ハンドピースに関し、特に、歯科用工具を装着するヘッド及びヘッドから延びるネック部とグリップが着脱可能に連結され、グリップの後端部に駆動ユニットを着脱可能に接続される形式の歯科用ハンドピースに関する。
【背景技術】
【０００２】
一般に、歯科用ハンドピースは、歯科用工具が装着される回転軸を有するヘッド及びヘッドから略筒状に延び、動力伝達軸が挿通されるネック部と、ネック部の基端部に略筒状に連接し、回転軸が挿通されるグリップとを備え、グリップの後端部にモータを有する駆動ユニットが接続されて、モータと回転軸が作動連結され、モータの回転により、グリップ内の回転軸、ネック部内の動力伝達部材を介してヘッド内の回転軸を高速回転するようになっている。この種のハンドピースには、ヘッド及びネック部と、グリップが各種の連結手段を介して着脱可能に連結され、ネック部と動力伝達軸とグリップとを各別に分解できるようにして、洗浄などのメンテナンスを行なえるようにしたものがある。
図１０にこのようなハンドピースの一例を示している。このハンドピース７では、ネック部７２とグリップ７３が筒形形状の継手部材７４を介して着脱可能に連結されている。この場合、継手部材７４は、例えば特許文献１に開示されているように、その前部内周にネック部の基端部に設けられた突起に係止する切り欠きが形成され、後部内周にグリップの先端部外周に設けられた雄ねじに螺合する雌ねじが形成されている。このようにして、図１０（１）に示すように、継手部材７４を反時計回り方向に回して、ねじの引掛りがなくなるまで緩めた後、図１０（２）に示すように、グリップ７３からネック部７２をネック部７２の軸方向に引き抜けば、ネック部７２とグリップ７３とを各別に分解することができる。なお、これらネック部７２とグリップ７３を組付けるには、ネック部７２の基端部をグリップ７３の先端部に差し込み、継手部材７４を時計回り方向に回して、ねじを締め込めばよい。このような継手部材７４によりネック部７２とグリップ７３をしっかり固定することができる。
【先行技術文献】
【特許文献】
【０００３】
【特許文献１】特開平５−２３３５２号公報（段落００１１及び図１）
【発明の概要】
【発明が解決しようとする課題】
【０００４】
しかしながら、この種のハンドピースにおいて上記従来のようなネック部とグリップとの連結構造では、ネック部とグリップの分解及び組付けに、ねじ式の継手部材を緩める方向に繰り返し回す作業と締め付ける方向に繰り返し回す作業を必要とするため、多くの手間が掛かって、容易ではなく、また、継手部材を締め込む場合に、ユーザーによって継手部材の締め付け力が異なるため、継手部材の十分な締め付け力が得られていないと、ハンドピースの使用中の振動などで継手部材が回り、緩む恐れがある、という問題がある。
【０００５】
本発明は、このような従来の課題を解決するものであり、この種の歯科ハンドピースにおいて、ワンタッチで簡易にネック部とグリップとの間の回り止め及びその解除を確実に行え、ネック部とグリップとの既存の連結手段を含む各種の連結手段に利用して、各種の連結手段によるネック部とグリップとの確実な連結及び解除を実現し得るネック部とグリップとの間の回り止め構造を提供すること、また、このネック部とグリップとの間の回り止め構造を併用し、ワンタッチで簡易にネック部とグリップとを連結又はその連結を解除し得る最適な連結手段を提供すること、を目的とする。
【課題を解決するための手段】
【０００６】
上記目的を達成するために、本発明（１）は、歯科用工具を装着するヘッド及び前記ヘッドから略筒状に延びるネック部と、前記ネック部の基端部に各種の連結手段を介して着脱可能に連結される略筒状のグリップと、前記ネック部を前記グリップに対して回り止めするための回り止め手段とを備え、前記グリップの後端部に駆動ユニットを着脱可能に接続される歯科用ハンドピースにおいて、
前記連結手段は、
前記ネック部の前記グリップとの連結端に略円筒状の開口が形成されるとともに、前記グリップの前記ネック部連結側の端部に前記ネック部の開口に嵌合可能な略円筒状の突状部が形成されて、
前記グリップの突状部の外周面に対称的に形成され、外周方向に突出する一対の係止突起と、
前記ネック部の開口内周面に対称的に形成され、前記ネック部と前記グリップとの正規の連結状態で前記グリップの前記各係止突起が係合可能な一対の位置決め係合溝、及び前記ネック部の開口縁部で前記各位置決め係合溝に対応する各位置から同一の周方向に所定角度だけ離れた位置にそれぞれ前記各係止突起を導入案内するための一対の導入ガイド溝が形成されて、これら導入ガイド溝から前記各位置決め係合溝に向けて形成され、前記グリップの各係止突起を前記各位置決め係合溝に案内するための一対の位置決めガイド溝と、
を備え、
前記ネック部の開口に前記グリップの突状部を相互の前記各導入ガイド溝と前記各係止突起とを合わせて挿入し、前記ネック部又は前記グリップの一方に対して他方を前記各係止突起と前記各位置決めガイド溝との係合案内に従って相対回動し、前記各係止突起と前記各位置決め係合溝とを係合させて、前記ネック部と前記グリップとを連結し、
前記回り止め手段は、
前記グリップの内部に当該グリップの軸方向に向けてスライド可能に挿通され、少なくとも一方の端部が前記グリップの両端部のいずれか一方から突出可能な長さを有する回り止めピンと、
前記回り止めピンの一方の端部を常態において前記グリップの前記駆動ユニット接続側の端部から外側に突出するように前記回り止めピンを前記グリップの前記駆動ユニット接続側の端部に向けて付勢するばね手段と、
を備え、
前記ネック部の前記グリップとの連結端に前記回り止めピンの他端に対向して前記回り止めピンの他端が挿入し係合可能な溝又は穴が形成されて、
前記グリップの後端部に前記駆動ユニットを接続することにより、前記駆動ユニット側の連結面で前記回り止めピンの一方の端部を押圧して他方の端部を前記グリップの前記ネック部連結側の端部から突出し前記ネック部の溝又は穴に挿入して、前記ネック部を前記グリップに対して回り止めする、ことを要旨とする。
この場合、ネック部の開口縁部に形成される一対の導入ガイド溝の少なくとも一方をグリップの回り止めピンを挿入する溝とし、前記ネック部と前記グリップが各係止突起と各位置決め係合溝との係合により連結された状態で、前記回り止めピンが前記導入ガイド溝に対向可能に構成されることが好ましい。
上記目的を達成するために、本発明（２）は、
歯科用工具を装着するヘッド及び前記ヘッドから略筒状に延びるネック部と、前記ネック部の基端部に各種の連結手段を介して着脱可能に連結される略筒状のグリップと、前記ネック部を前記グリップに対して回り止めするための回り止め手段とを備え、前記グリップの後端部に駆動ユニットを着脱可能に接続される歯科用ハンドピースにおいて、
前記連結手段は、
前記ネック部の前記グリップとの連結端に略円筒状の開口が形成されるとともに、前記グリップの前記ネック部連結側の端部に前記ネック部の開口に嵌合可能な略円筒状の突状部が形成されて、
前記グリップの突状部の外周面に対称的に形成され、外周方向に突出する一対の係止突起と、
前記ネック部の開口内周面に対称的に形成され、前記ネック部と前記グリップとの正規の連結状態で前記グリップの前記各係止突起が係合可能な一対の位置決め係合溝、及び前記ネック部の開口縁部で前記各位置決め係合溝に対応する各位置から同一の周方向に所定角度だけ離れた位置にそれぞれ前記各係止突起を導入案内するための一対の導入ガイド溝が形成されて、これら導入ガイド溝から前記各位置決め係合溝に向けて形成され、前記グリップの各係止突起を前記各位置決め係合溝に案内するための一対の位置決めガイド溝と、
を備え、
前記ネック部の開口に前記グリップの突状部を相互の前記各導入ガイド溝と前記各係止突起とを合わせて挿入し、前記ネック部又は前記グリップの一方に対して他方を前記各係止突起と前記各位置決めガイド溝との係合案内に従って相対回動し、前記各係止突起と前記各位置決め係合溝とを係合させて、前記ネック部と前記グリップとを連結し、
前記回り止め手段は、
前記グリップの内部に当該グリップの軸方向に向けてスライド可能にかつ少なくとも前記ネック部側の端部が前記グリップの前記ネック部連結側の端部から突出可能に挿通される回り止めピンと、
前記回り止めピンの前記ネック部側の端部を常態において前記グリップの前記ネック部連結側の端部から内部に没入するように前記回り止めピンを前記グリップの前記駆動ユニット接続側の端部に向けて付勢するばね手段と、
を備え、
前記ネック部の前記グリップとの連結端に前記回り止めピンの他端に対向して前記回り止めピンの他端が挿入し係合可能な溝又は穴が形成され、
前記駆動ユニットの前記グリップに対する接続端に前記グリップの内部に挿入され前記回り止めピンを押圧可能な押圧部を形成されて、
前記グリップの後端部に前記駆動ユニットを接続することにより、前記駆動ユニットの押圧部で前記回り止めピンの前記駆動ユニット側の端部を押圧して前記ネック部側の端部を前記グリップの前記ネック部連結側の端部から突出し前記ネック部の溝又は穴に挿入して、前記ネック部を前記グリップに対して回り止めする、
ことを要旨とする。
この場合、ネック部の開口縁部に形成される一対の導入ガイド溝の少なくとも一方をグリップの回り止めピンを挿入する溝とし、前記ネック部と前記グリップが各係止突起と各位置決め係合溝との係合により連結された状態で、前記回り止めピンが前記導入ガイド溝に対向可能に構成されることが好ましい。
【０００７】
また、上記目的を達成するために、本発明（３）は、
歯科用工具を装着するヘッド及び前記ヘッドから略筒状に延びるネック部と、前記ネック部の基端部に各種の連結手段を介して着脱可能に連結される略筒状のグリップとを備え、前記グリップの後端部に駆動ユニットを着脱可能に接続される歯科用ハンドピースにおいて、
前記連結手段は、
前記ネック部の前記グリップとの連結端に略円筒状の開口が形成されるとともに、前記グリップの前記ネック部連結側の端部に前記ネック部の開口に嵌合可能な略円筒状の突状部が形成されて、
前記グリップの突状部の外周面に対称的に形成され、外周方向に突出する一対の係止突起と、
前記ネック部の開口内周面に対称的に形成され、前記ネック部と前記グリップとの正規の連結状態で前記グリップの前記各係止突起が係合可能な一対の位置決め係合溝、及び前記ネック部の開口縁部で前記各位置決め係合溝に対応する各位置から同一の周方向に所定角度だけ離れた位置にそれぞれ前記各係止突起を導入案内するための一対の導入ガイド溝が形成されて、これら導入ガイド溝から前記各位置決め係合溝に向けて形成され、前記グリップの各係止突起を前記各位置決め係合溝に案内するための一対の位置決めガイド溝と、
を備え、
前記ネック部の開口に前記グリップの突状部を相互の前記各導入ガイド溝と前記各係止突起とを合わせて挿入し、前記ネック部又は前記グリップの一方に対して他方を前記各係止突起と前記各位置決めガイド溝との係合案内に従って相対回動し、前記各係止突起と前記各位置決め係合溝とを係合させて、前記ネック部と前記グリップとを連結する、
ことを要旨とする。
【発明の効果】
【０００８】
本発明（１）の歯科用ハンドピースによれば、上記の連結手段を採用し、ネック部の開口にグリップの突状部を相互の各導入ガイド溝と各係止突起とを合わせて挿入し、ネック部又はグリップの一方に対して他方を各係止突起と各位置決めガイド溝との係合案内に従って相対回動し、各係止突起と各位置決め係合溝とを係合させて、ネック部とグリップとを連結するようにしたので、ネック部とグリップとをワンタッチで簡易に連結することができ、また、上記の回り止め手段の構成により、グリップの後端部に駆動ユニットを接続することにより、駆動ユニット側の連結面で回り止めピンの一方の端部を押圧して他方の端部をグリップのネック部連結側の端部から突出しネック部の溝又は穴に挿入して、ネック部をグリップに対して回り止めするようにしたので、ネック部とグリップとを連結手段を介して連結した後、グリップに駆動ユニットを接続するだけのワンタッチ操作で簡易にネック部とグリップとの間の回り止めを確実に行うことができる。そして、この回り止め手段は連結手段に併用することができ、グリップの後端部に駆動ユニットを接続し、駆動ユニット側の連結面で回り止めピンの一方の端部を押圧して他方の端部をグリップのネック部連結側の端部から突出しネック部の溝又は穴に挿入して、ネック部をグリップに対して回り止めすることにより、グリップに駆動ユニットを接続するだけのワンタッチ操作で簡易にネック部とグリップとの間の回り止めを確実に行え、この回り止めを、上記の連結手段の解除に干渉させて、上記連結手段によるネック部とグリップとの確実な連結状態を保持することができる。また、グリップと駆動ユニットとを切り離すだけのワンタッチ操作で簡易にネック部とグリップとの間の回り止めを確実に解除することができ、この回り止めの解除により、上記の連結手段を解除して、ネック部とグリップとを各別に切り離すことができる。この場合、ネック部の開口縁部に形成される一対の導入ガイド溝の少なくとも一方をグリップの回り止めピンを挿入する溝とし、ネック部とグリップが各係止突起と各位置決め係合溝との係合により連結された状態で、回り止めピンを導入ガイド溝に対向可能に構成することで、ネック部とグリップとの間の連結・回り止め構造及びその操作性を共に簡易にすることができる。
本発明（２）の歯科用ハンドピースによれば、上記の連結手段を採用し、ネック部の開口にグリップの突状部を相互の各導入ガイド溝と各係止突起とを合わせて挿入し、ネック部又はグリップの一方に対して他方を各係止突起と各位置決めガイド溝との係合案内に従って相対回動し、各係止突起と各位置決め係合溝とを係合させて、ネック部とグリップとを連結するようにしたので、ネック部とグリップとをワンタッチで簡易に連結することができ、また、上記の回り止め手段の構成により、グリップの後端部に駆動ユニットを接続することにより、駆動ユニット側の押圧部で回り止めピンの一方の端部を押圧して他方の端部をグリップのネック部連結側の端部から突出しネック部の溝又は穴に挿入して、ネック部をグリップに対して回り止めするようにしたので、ネック部とグリップとを連結手段を介して連結した後、グリップに駆動ユニットを接続するだけのワンタッチ操作で簡易にネック部とグリップとの間の回り止めを確実に行うことができる。そして、この回り止め手段は連結手段に併用することができ、グリップの後端部に駆動ユニットを接続し、駆動ユニット側の押圧部で回り止めピンの一方の端部を押圧して他方の端部をグリップのネック部連結側の端部から突出しネック部の溝又は穴に挿入して、ネック部をグリップに対して回り止めすることにより、グリップに駆動ユニットを接続するだけのワンタッチ操作で簡易にネック部とグリップとの間の回り止めを確実に行え、この回り止めを、上記の連結手段の解除に干渉させて、上記連結手段によるネック部とグリップとの確実な連結状態を保持することができる。また、グリップと駆動ユニットとを切り離すだけのワンタッチ操作で簡易にネック部とグリップとの間の回り止めを確実に解除することができ、この回り止めの解除により、上記の連結手段を解除して、ネック部とグリップとを各別に切り離すことができる。この場合、ネック部の開口縁部に形成される一対の導入ガイド溝の少なくとも一方をグリップの回り止めピンを挿入する溝とし、ネック部とグリップが各係止突起と各位置決め係合溝との係合により連結された状態で、回り止めピンを導入ガイド溝に対向可能に構成することで、ネック部とグリップとの間の連結・回り止め構造及びその操作性を共に簡易にすることができる。
本発明（３）の歯科用ハンドピースによれば、上記の連結手段を採用し、ネック部の開口にグリップの突状部を相互の各導入ガイド溝と各係止突起とを合わせて挿入し、ネック部又はグリップの一方に対して他方を各係止突起と各位置決めガイド溝との係合案内に従って相対回動し、各係止突起と各位置決め係合溝とを係合させて、ネック部とグリップとを連結するようにしたので、ネック部とグリップとをワンタッチで簡易にかつ確実に連結することができる。
【図面の簡単な説明】
【０００９】
【図１】本発明の一実施の形態における歯科用ハンドピースの全体構成を示す側面図
【図２】同ハンドピースの特にネック部とグリップの要部を拡大して示す側面図
【図３】同ハンドピースの特にグリップの内部構成を示す分解斜視図
【図４】同ハンドピースの特にグリップの外部構成を前側から示す斜視図
【図５】同ハンドピースの特にグリップの外部構成を後側から示す斜視図
【図６】同ハンドピースの特に回り止めピンの構成及びその取付構造を示す分解斜視図
【図７】同ハンドピースの特に回り止めピンの構成及びその取付構造を示す斜視図（図６の組み立て後の斜視図）
【図８】同ハンドピースの特にネック部とグリップとを連結する手順を示す図
【図９】同ハンドピースの特にグリップに駆動ユニットを接続してネック部とグリップとを回り止めする手順を示す図（（１）はグリップと駆動ユニットの接続前を示す図（２）はグリップと駆動ユニットの接続後を示す図（３）はグリップと駆動ユニットの接続後の要部を示す図）
【図１０】従来の歯科用ハンドピースを示す側面図
【発明を実施するための形態】
【００１０】
次に、本発明の実施の形態について図を用いて説明する。図１に歯科用ハンドピースの全体構成を示し、図２乃至図７にこのハンドピースの各部の構成を示している。
図１に示すように、歯科用ハンドピースＰは、歯科用工具を装着するヘッド１及びヘッド１から略筒状に延びるネック部２と、ネック部２の基端部に連結手段５を介して着脱可能に連結される略筒状のグリップ３とを備え、グリップ３の後端部に駆動ユニット４（図９参照）が着脱可能に接続されるようになっている。このハンドピース１の各部は次のような構成を有する。
ヘッド１は、略筒状のヘッドハウジング１０と、ヘッドハウジング１０の内部に配設される回転軸（図示省略）とを有する。ネック部２は、ヘッド１の外周面から略筒状に延びるネック部ハウジング２０と、ネック部ハウジング２０の内部に挿通される動力伝達軸（図示省略）とを有する。この場合、図２に示すように、ネック部ハウジング２０の内部にパイプ２１が挿通配置され、このパイプ２１内に動力伝達軸が挿通され、ヘッド１の回転軸に作動連結される。また、この場合、ネック部２のグリップ３との連結端、すなわち、ネック部ハウジング２０の基端部は略円筒状の開口２００になっている。
グリップ３は略筒状のグリップハウジング３０とグリップハウジング３０の内部に挿通される回転軸３２とを有する。この場合、図２及び図３に示すように、グリップハウジング３０の内部にリアジョイント３１が挿通配置され、このリアジョイント３１に駆動源に作動連結される回転軸３２が挿通される。なお、リアジョイント３１は外周にグリップハウジング３０の内面に当接可能な複数のリング部、ここではリアジョイント３１の前端部に前端リング部３１１、リアジョイント３１の後端部側に近接する中間部に中間リング部３１２、リアジョイント３１の後端部に後端リング３１３部を有し、これらのリング部３１１−３１３によりグリップハウジング３０の内部にグリップ３の軸芯と同芯的に挿通配置される。このリアジョイント３１は、グリップハウジング３０内の後端部に嵌め込まれて、グリップハウジング３０の後端部内周面のねじに締結されるリング状の止めねじ３４により固定される固定リング３３を介して、グリップハウジング３０の内部に固定保持される。また、この場合、グリップハウジング３０の前端部はネック部２連結側の端部で、図４に示すように、ネック部２基端部の開口２００に嵌合可能な略円筒状の突状部３０１が形成され、グリップハウジング３０の後端部は駆動ユニット４接続側の端部で、図５に示すように、固定リング３３及び止めねじ３４によりリアジョイント３１に連通する開口３００になっている。なお、このグリップハウジング３０の後端面の開口３００縁部には所定の位置に駆動ユニット４を位置決めするための位置決め穴３５が設けられる。
駆動ユニット４は（図９参照）略筒状のモータハウジング４０とモータハウジング４０内部に収容されるモータユニット（図示省略）とを有し、モータハウジング４０の前部からモータユニットのインサート４１が突出される。この場合、駆動ユニット４の前端面はモータハウジングの前端面でその中央からインサート４１が突出される。なお、このモータハウジング４０の前端面にはインサート４１周囲の所定の位置にグリップ３を位置決めするための位置決めピン４２が設けられる。この駆動ユニット４は、前端面のインサート４１がグリップ３の後端面の開口３００に差し込まれ、駆動ユニット４の前端面とグリップ３の後端面が相互に位置決めピン４２と位置決め穴３５との係合案内により面接触されて、グリップ３の後端面に接続され、この状態で駆動ユニット４のインサート４１とグリップ３内部の回転軸が作動連結される。
【００１１】
このハンドピースＰでは、ヘッド１及びネック部２とグリップ３との間の連結手段５が、図４に示すように、グリップハウジング３０前端部の突状部３０１の外周面に対称的に形成され、外周方向に突出する一対の係止突起５１と、図２に示すように、ネック部ハウジング２０基端部の開口２００内周面に対称的に形成され、ネック部２とグリップ３との正規の接続状態でグリップハウジング３０の各係止突起５１が係合可能な一対の位置決め係合溝５２、及びこのネック部ハウジング２０の開口２００縁部で各位置決め係合溝５２に対応する各位置から同一の周方向、この場合、反時計回り方向に所定角度だけ離れた位置にそれぞれ各係止突起５１を導入案内するための一対の導入ガイド溝５３がネック部２の軸方向に向けて形成されて、これら導入ガイド溝５２の奥側端からそれぞれ開口２００内周面の周方向に各位置決め係合溝５２に向けて形成され、グリップ３の各係止突起５１を各位置決め係合溝５２に案内するための一対の位置決めガイド溝５４とを備える。
なお、この場合、各位置決めガイド溝５４は、グリップハウジング３０の前端面とネック部ハウジング２０の基端面とを相互に引き寄せて接触可能に、グリップハウジング３０の各係止突起５１を誘導案内する所定角度の斜めの断面形状になっている。また、各位置決め係合溝５２は、各係止突起５１が嵌合可能に、例えば略半円形の断面形状になっている。
このようにしてネック部２の開口２００にグリップ３の突状部３０１を相互の各導入ガイド溝５３と各係止突起５１とを合わせて挿入し、ネック部２又はグリップ３の一方に対して他方を各係止突起５１と各位置決めガイド溝５４との係合案内に従って相対回動し、各係止突起５１と各位置決め係合溝５２とを係合させて、ネック部２とグリップ３とを連結するようになっている。
【００１２】
また、このハンドピースＰでは、ヘッド１及びネック部２とグリップ３との間に回り止め構造６を備えていて、これが上記の連結手段５に併用される。この回り止め構造６は、図３に示すように、グリップ３の内部にピンガイド６０１，６０２，６０３を介して当該グリップ３の軸方向に向けてスライド可能に挿通され、グリップ３の前端面又は後端面から突出可能な回り止めピン６１の一方の端部をグリップ３の駆動ユニット４接続側の端部に向けて付勢するばね手段６２とを備え、併せて、図２に示すように、ネック部２のグリップ３との連結端に回り止めピン６１の他方の端部に対向して回り止めピン６１の他方の端部が挿入し係合可能な溝又は穴６３を備えて構成される。
この場合、回り止めピン６１は少なくとも一方の端部がグリップ３の両端部のいずれか一方から突出可能な長さを有し、図６に示すように、その後端部側の一部が大径に、残部が小径に形成されて大径部６１１と小径部６１２とからなり、この大径部６１１と小径部６１２との間に凸状のフランジ６１３が形成される。なお、この回り止めピン６１は、大径部、小径部に分けることなく、全体が同一の径のものでもよい。
ピンガイド６０１，６０２，６０３は、図６に示すように、グリップ３内部に配置されるリアジョイント３１の各リング部３１１−３１３に形成され、前端リング部３１１に回り止めピン６１の小径部６１２が挿通可能な溝６０１にして、中間リング部３１２に回り止めピン６１の小径部６１が挿通可能な穴６０２にして、後端リング部３１３に回り止めピン６１の大径部６１１が挿通可能な溝６０３にしてそれぞれ同芯的に形成される。
グリップ３の前端面には、図４に示すように、筒状部３０１に近接する所定の位置に回り止めピン６１を突出可能にピン挿通穴６０４が形成され、このピン挿通穴６０４に対向して、図５に示すように、グリップ３の後端面に固定される固定リング３３の開口３００周囲の所定の位置に回り止めピン６１が突出可能にピン挿通穴６０５が形成される。
ばね手段６２にはコイルスプリングが採用される。
このような各部の構成により、回り止めピン６１は、図７に示すように、小径部６１２のフランジ６１３側の端部にコイルスプリング６２が取り付けられて、リアジョイント３１の各リング部３１１，３１２，３１３のピンガイド６０１，６０２，６０３に、回り止めピン６１の小径部６１２が中間リング部３１２の穴６０２と前端リング部３１１の溝６０１との間に通され、大径部６１１が後端リング部３１３の溝６０３に通されて挿通される。これにより、回り止めピン６１のフランジ６１３と中間リング部３１２との間でコイルスプリング６２が圧縮され、回り止めピン６１は常態においてリアジョイント３１の後端部方向に付勢され、回り止めピン６１のフランジ６１３が後端リング部３１３の溝６０３の周縁部に圧接されて、回り止めピン６１の大径部６１１の後端部側の所定の長さがリアジョイント３１の後端部から後方に突出される。
そして、この回り止めピン６１組付け済みのリアジョイント３１は、図３に示すように、グリップハウジング３０の内部にグリップハウジング３０前後端面の各ピン挿通穴６０４，６０５とリアジョイント３１の各ピンガイド６０１，６０２，６０３が同心的に配列されて挿通配置された後、グリップハウジング３０内部の後端部に固定リング３３がリアジョイント３１の後端部から突出される回り止めピン６１の大径部６１１を固定リング３３のピン挿通穴６０５から通して嵌め込まれ、リング状の止めねじ３４により固定される。
このように回り止めピン６１はグリップ３の内部に当該グリップ３の軸方向に向けてスライド可能に挿通され、コイルスプリング６２の付勢力により、図５に示すように、回り止めピン６１の大径部６１１が常態においてグリップ３の後端面のピン挿通穴６０５から外部に突出される。なお、このグリップ３の後端部から突出される回り止めピン６１をグリップ３の前方に向けて押圧すると、回り止めピン６１はグリップ３の後端面（の固定リング３３のピン挿通穴６０５）に没入して、回り止めピン６１の小径部６１２の先端側所定の長さがグリップ３の前端面のピン挿通穴６０４から突出するようになっている。
一方、ネック部２には、既述のとおり、グリップ３との連結端に回り止めピン６１の先端側が挿入可能な溝又は穴６３が形成される。この場合、図２に示すように、ネック部２の開口２００縁部に形成される一対の導入ガイド溝５３の少なくとも一方をグリップ３の回り止めピン６１を挿入するための溝６３とし、ネック部２とグリップ３が各係止突起５１と各位置決め係合溝５２との係合により正規の位置で連結された状態で、回り止めピン６１が一方の導入ガイド溝５３に対向可能に構成される。すなわち、ネック部２の各位置決め係合溝５２とグリップ３の各係止突起５１が係合された状態で、回り止めピン６１が一方の導入ガイド溝５３に対向するように、グリップ３の前後端面の所定の位置にピン挿通穴６０４，６０５が形成され、グリップ３内部の所定の位置にピンガイド６０１，６０２，６０３が配列されて、回り止めピン６１は、既述のとおり、グリップ３の内部にピンガイド６０１，６０２，６０３を介して当該グリップ３の軸方向に向けてスライド可能に挿通され、コイルスプリング６２の付勢力により常態においてグリップ３の駆動ユニット４接続側の端部から外側に突出される。
【００１３】
このようにしてこのハンドピースＰは、グリップ３の後端部に駆動ユニット４を接続することにより、駆動ユニット４側の連結面であるモータハウジング４０の前端面でグリップ３の後端面から突出する回り止めピン６１の一方の端部（以下、後端部という。）を押圧して他方の端部（以下、前端部という。）をグリップ３のネック部２連結側の端部から突出させ、ネック部２の溝６３、この場合、一方の導入ガイド溝５３に挿入して、ネック部２とグリップ３との間を回り止めするようになっている。
【００１４】
図８にこのハンドピースＰのネック部２とグリップ３とを連結する手順を示し、図９にグリップ３に駆動ユニット４を接続してネック部２とグリップ３とを回り止めする手順を示している。
図８に示すように、ネック部２、グリップ３、駆動ユニット４が各別に分解された状態では、グリップ３の後端面のピン挿通穴６０５から回り止めピン６１の後端部が突出されている（反対に、回り止めピン６１の前端部はグリップ３の前端面のピン挿通穴６０４からグリップ３の内部に引き込まれて没入されている。）。ネック部２とグリップ３を連結する場合、ネック部２の開口２００にグリップ３の突状部３０１を相互の一対の導入ガイド溝５３と一対の係止突起５１とを合わせて挿入し、ネック部２に対してグリップ３を時計回り方向に各係止突起５１と各位置決めガイド溝５４との係合案内に従って回動し、各係止突起５１と各位置決め係合溝５２とを係合させて、ネック部２とグリップ３とを連結する。この一連の手順はワンタッチで行われる。これにより、ネック部２とグリップ３は各係止突起５１と各位置決め係合溝５２との係合により位置決めされて正規の位置で連結固定される。この状態ではネック部２又はグリップ３の一方を他方に対して軸方向に引き抜こうとしても引き抜くことができない。
このようにしてネック部２とグリップ３とを連結した後、駆動ユニット４をグリップ３に接続する。この場合、図９（１）に示すように、まず、駆動ユニット４のインサート４１をグリップ３の開口３００に差し込み、このインサート４１を、駆動ユニット４の前端面をグリップ３の後端面に相互の位置決めピン４２と位置決め穴３５との係合案内により面接触させるまで差し通す。このとき、駆動ユニット４の前端面がグリップ３の後端面から突出する回り止めピン６１の後端部に接触し、回り止めピン６１をグリップ３の前端部方向に押圧して、回り止めピン６１をグリップ３の前端面のピン挿通穴６０４に向けてスライドさせ、このピン挿通穴６０４から回り止めピン６１の前端部を突出する。そして、図９（２）に示すように、駆動ユニット４の前端面とグリップ３の後端面が面接触すると、駆動ユニット４のインサート４１とグリップ３内部の回転軸が作動連結され、同時に、駆動ユニット４の前端面で回り止めピン６１は完全に押圧されて、図９（３）に示すように、回り止めピン６１の前端部がグリップ３の前端面のピン挿通穴６０４から完全に突出し、ネック部２の一方の導入ガイド溝５３に挿入される。この一連の手順はワンタッチで行われる。これにより、ネック部２とグリップ３は一方の導入ガイド溝５３と回り止めピン６１との係合により相互に回転方向の動きを規制されて回り止めされる。この状態では、ネック部２又はグリップ３の一方を他方に対して回そうとしても回すことができない。この回り止めによって、ネック部２の各位置決め係合溝５２とグリップ３の各係止突起５１との係合は完全に固定され、ネック部２とグリップ３との連結状態が完全に固定される。このようなネック部２、グリップ３、駆動ユニット４の連結によって、ハンドピースＰの使用中にヘッド１が外れることがない。
また、このハンドピースＰの使用後に、洗浄などのメンテナンスのため、ネック部２、グリップ３及び駆動ユニット４を分解する場合は、上記の手順が逆になる。この一連の手順もまた、ワンタッチで行われる。
この場合、グリップ３から駆動ユニット４を引き抜くことにより、グリップ３と駆動ユニット４が切り離され、同時に、駆動ユニット４の前端面によるグリップ３の後端面の回り止めピン６１に対する押圧が解除され、回り止めピン６１はコイルスプリング６２の付勢力によりグリップ３の後端面に向けてスライドされて、回り止めピン６１の前端部はグリップ３の前端面のピン挿通穴６０４からグリップ３の内部に引き込まれて没入され、グリップ３の後端面のピン挿通穴６０５から回り止めピン６１の後端部が突出される。これにより、ネック部２の一方の導入ガイド溝５３とグリップ３の回り止めピン６１との係合が解除され、ネック部２とグリップ３との間の回り止めが解除される。
そして、ネック部２に対してグリップ３を反時計回り方向に各係止突起５１と各位置決めガイド溝５４との係合案内に従って回動することにより、各係止突起５１と各位置決め係合溝５２との係合が解除され、ネック部２とグリップ３が相互にフリーの状態となる。この状態から、ネック部２又はグリップ３の一方を他方に対して軸方向に引けば、ネック部２とグリップ４は引き離される。
このようにしてネック部２、グリップ３、駆動ユニット４が各別に分解される。
【００１５】
以上説明したように、この歯科用ハンドピースＰでは、
（１）ネック部２とグリップ３との連結手段５は、ネック部２の基端部に略円筒状の開口２００が形成されるとともに、グリップ３の前端部にネック部２の開口２００に嵌合可能な略円筒状の突状部３０１が形成されて、グリップ３の突状部３０１の外周面に対称的に形成され、外周方向に突出する一対の係止突起５１と、ネック部２の開口２００内周面に対称的に形成され、ネック部２とグリップ３との正規の連結状態でグリップ３の各係止突起５１が係合可能な一対の位置決め係合溝５２、及びネック部２の開口２００縁部で各位置決め係合溝５２に対応する各位置から同一の周方向に所定角度だけ離れた位置にそれぞれ各係止突起５１を導入案内するための一対の導入ガイド溝５３が形成されて、これら導入ガイド溝５３から各位置決め係合溝５２に向けて形成され、グリップ３の各係止突起５１を各位置決め係合溝５２に案内するための一対の位置決めガイド溝５４とを備え、ネック部２の開口２００にグリップ３の突状部３０１を相互の各導入ガイド溝５３と各係止突起５１とを合わせて挿入し、ネック部２又はグリップ３の一方に対して他方を各係止突起５１と各位置決めガイド溝５４との係合案内に従って相対回動し、各係止突起５１と各位置決め係合溝５２とを係合させて、ネック部２とグリップ３とを連結するようにし、
（２）グリップ３の内部に当該グリップ３の軸方向に向けてスライド可能に挿通され、少なくとも一方の端部がグリップ３の両端部のいずれか一方から突出可能な長さを有する回り止めピン６１と、回り止めピン６１の後端部を常態においてグリップ３の後端部から外側に突出するように回り止めピン６１をグリップ３の後端部に向けて付勢するばね手段６２とを備え、ネック部２とグリップ３が各係止突起５１と各位置決め係合溝５２との係合により正規の位置で連結された状態で、回り止めピン６１がネック部２の一方の導入ガイド溝５３に係脱可能に構成されて、グリップ３の後端部に駆動ユニット４を接続することにより、駆動ユニット４側の連結面で回り止めピン６１の後端部を押圧して前端部をグリップ３の前端面から突出しネック部２の一方の導入ガイド溝５３に挿入して、ネック部２をグリップ３に対して回り止めするようにしたので、
ネック部２の開口２００にグリップ３の突状部３０１を相互の各導入ガイド溝５３と各係止突起５１とを合わせて挿入し、ネック部２又はグリップ３の一方に対して他方を各係止突起５１と各位置決めガイド溝５４との係合案内に従って相対回動するだけのワンタッチ作業でネック部２とグリップ３とを簡単かつ確実に連結することができ、これに続いて、グリップ３の後端部に駆動ユニット４を接続するだけのワンタッチ作業で、グリップ３と駆動ユニット４を簡単かつ確実に接続することができるとともに、ネック部２とグリップ３との間を回り止めしてネック部２とグリップ３との連結を簡単かつ確実に固定することができる。そして、このネック部２とグリップ３との間の連結及び回り止めにより、ネック部２とグリップ３との確実な連結状態を保持することができる。
また反対に、グリップ３の後端部から駆動ユニット４を引き抜くだけのワンタッチ作業で、グリップ３と駆動ユニット４を簡単に引き離すことができるとともに、ネック部２とグリップ３との間を回り止めを簡単に解除してネック部２とグリップ３との連結を非固定状態にすることができ、これに続いて、ネック部２又はグリップ３の一方に対して他方を各係止突起５１と各位置決めガイド溝５４との係合案内に従って上記と反対に相対回動して、ネック部２又はグリップ３の一方を他方に対して軸方向に引き抜くだけのワンタッチ作業でネック部２とグリップ３とを簡単に切り離すことができる。
【００１６】
なお、この実施の形態では、ネック部２の開口２００縁部に形成される一対の導入ガイド溝５３の少なくとも一方をグリップ３の回り止めピン６１を挿入するための溝とし、ネック部２とグリップ３とを各係止突起５１と各位置決め係合溝５２との係合により連結した状態で、回り止めピン６１を一方の導入ガイド溝５３に対向可能に構成し、当該導入ガイド溝５３に係脱させるようにしたが、回り止めピン６１を挿入するための溝又は穴をネック部２のグリップ３との連結端において導入ガイド溝５３とは別に形成し、回り止めピン６１を当該溝又は穴に対向可能に構成して、当該溝又は穴に係脱させるようにしてもよく、このようにしても上記と同様の作用効果を得ることができる。
【００１７】
また、この実施の形態では、ネック部２とグリップ３との間に上記のような連結手段５が構成されているが、従来から知られている既存の連結手段であっても、ネック部２とグリップ３との間の回り止め構造６により、上記の連結手段５と同様に、当該既存の連結手段の解除に干渉させるようにできれば、当該既存の連結手段を採用してもよく、このようにしても上記と同様の作用効果を得ることができる。
【００１８】
さらに、この実施の形態では、回り止めピン６１が少なくとも一方の端部がグリップ３の両端部のいずれか一方から突出可能な長さを有し、かかる回り止めピン６１をグリップ３の内部にピンガイド６０１，６０２，６０３を介して当該グリップ３の軸方向に向けてスライド可能に挿通し、グリップ３の前端面又は後端面から突出可能とし、回り止めピン６１の後端部をばね手段６２によりグリップ３の後端面から外部に突出するように付勢したが、回り止めピンがグリップの内部に当該グリップの軸方向に向けてスライド可能にかつ少なくともネック部側の端部がグリップのネック部連結側の端部から突出可能なある程度の長さがあれば、このような回り止めピンをグリップの内部にピンガイドを介して当該グリップの軸方向に向けてスライド可能に挿通して、グリップの前端面から突出可能とし、回り止めピンのネック部側の端部をばね手段により常態においてグリップのネック部連結側の端部から内部に没入するように付勢し、併せて、駆動ユニットの前端面にグリップの内部に挿入され回り止めピンの後端部を押圧可能な押圧部を形成して、グリップの後端部に駆動ユニットを接続することにより、駆動ユニットの押圧部で回り止めピンの後端部を押圧して前端部をグリップの前端面から突出させネック部の開口縁部の溝又は穴に挿入して、ネック部をグリップに対して回り止めするようにしてもよい。
この場合、ネック部の開口縁部の回り止めピンを挿入し係合させるための溝又は穴を上記のように一対の導入ガイド溝の少なくとも一方としてもよく、また、この導入ガイド溝とは別の溝又は穴としてもよい。
また、この場合、ネック部とグリップとの間に上記の連結手段を採用してもよく、従来の既存の連結手段を用いてもよい。
このようにしても上記実施の形態と同様の作用効果を得ることができる。
【符号の説明】
【００１９】
Ｐ  歯科用ハンドピース
１  ヘッド
１０  ヘッドハウジング
２  ネック部
２０  ネック部ハウジング
２００  開口
２１  パイプ
３  グリップ
３０  グリップハウジング
３００  開口
３０１  突状部
３１  リアジョイント
３１１  前端リング部
３１２  中間リング部
３１３  後端リング部
３２  回転軸
３３  固定リング
３４  止めねじ
３５  位置決め穴
４  駆動ユニット
４０  モータハウジング
４１  インサート
４２  位置決めピン
５  連結手段
５１  係止突起
５２  位置決め係合溝
５３  導入ガイド溝
５４  位置決めガイド溝
６  回り止め構造
６０１  溝（ピンガイド）
６０２  穴（ピンガイド）
６０３  溝（ピンガイド）
６０４  ピン挿通穴
６０５  ピン挿通穴
６１  回り止めピン
６１３  フランジ
６２  コイルスプリング（ばね手段）
６３  溝又は穴
【図１】
0005784975.tif 000002
【図２】
0005784975.tif 000003
【図３】
0005784975.tif 000004
【図４】
0005784975.tif 000005
【図５】
0005784975.tif 000006
【図６】
0005784975.tif 000007
【図７】
0005784975.tif 000008
【図８】
0005784975.tif 000009
【図９】
0005784975.tif 000010
【図１０】
0005784975.tif 000011